(57)【要約】【課題】特別な設備や工事が不要でＡＴＭサービス時間内でも簡単に設置できる携帯電話の検出装置を提供する。【解決手段】マット１内に上面視水平（長さ方向）・垂直（幅方向）に配置した２枚の平面アンテナ２、２と、踏まれても壊れないように柔軟な絶縁性フィルムからなるフレキシブル基板の内面に電子部品を高密度実装した平板状の検出回路３と、人が上に載ると作動する帯状のラバースイッチ４を埋設する。【選択図】図１
2010109913.tif 000002
【特許請求の範囲】
【請求項１】
携帯電話の周波数帯で共振する平面アンテナと、
この平面アンテナに接続して携帯電話の通話を検出する検出回路と、
この検出回路に接続して人が上に載ると作動するスイッチと、
を床材に設置することを特徴とする携帯電話感受装置。
【請求項２】
前記平面アンテナを上面視水平・垂直方向に配置して偏波ダイバーシチを行うことを特徴とする請求項１記載の携帯電話感受装置。
【請求項３】
前記検出回路はフレキシブル基板の内面に実装したものであることを特徴とする請求項１記載の携帯電話感受装置。
【請求項４】
前記スイッチは絶縁シリコンゴムで形成した扁平筒体の内側に一対の線状の接点材料を対向配置したものであることを特徴とする請求項１記載の携帯電話感受装置。
【請求項５】
前記床材がフロアマットであることを特徴とする請求項１記載の携帯電話感受装置。
【発明の詳細な説明】
【技術分野】
【０００１】
本発明は、ＡＴＭ（現金自動預け払い機）コーナーなど限られた狭い場所で携帯電話を使用したときに出る電波の有る無しを検出する技術に属する。
【背景技術】
【０００２】
近年、携帯電話を使った「振り込め詐欺」や「還付金詐欺」の横行に伴い、ＡＴＭコーナーで携帯電話を使用するとアラームを報知する検出装置の設置が要望されている。
ＡＴＭ周辺は設置スペースに余裕がないため、アンテナや検出装置を天井に取り付けるのが一般的で、そのための工事が必要となる。工事は高所作業となり、平地作業に比べて困難で危険を伴う。また、ＡＴＭサービス時間内は施工できないので時間外作業となり、取り付けやメンテナンスにかかる費用が増大する。
加えて天井の高さが場所により違うため、天井に取付けると携帯電話までの距離に差ができて、感度誤差を生じやすい。このため現場での感度調整が必要で作業が煩雑であった。
【０００３】
この問題を解決するために、アンテナを含む基地局などの装置を一体化して床下に設置する方法が提案されている（特許文献１、２）。
ところがこの方法も大掛かりな設置工事が必要で、フリーアクセスフロアなどの設備が必要となる。
【特許文献１】特開２００５−２７２１３号公報
【特許文献２】特開２００７−１４３０８９号公報
【発明の開示】
【発明が解決しようとする課題】
【０００４】
解決しようとする問題点は以上のような点であり、本発明は、特別な設備や工事が不要でＡＴＭサービス時間内でも簡単に設置できる携帯電話の検出装置を提供することを目的になされたものである。
【課題を解決するための手段】
【０００５】
そのため本発明は、携帯電話の周波数帯で共振する平面アンテナと、この平面アンテナに接続して携帯電話の通話を検出する検出回路と、この検出回路に接続して人が上に載ると作動するスイッチとを床材に設置することを最も主要な特徴とする。
【発明の効果】
【０００６】
本発明は、平面アンテナに接続する検出回路を一体に床材に設置するので、この床材を携帯電話使用禁止場所に置くだけで簡単に携帯電話の通話を検出できる。
そのため特別な設備や工事が不要になり、例えば銀行窓口業務時間内やＡＴＭサービス時間内、２４時間営業のコンビニなどでも簡単に設置できる。
また、検出回路に人が上に載ると作動するスイッチを接続するので、床材の上に人が載ったときだけ携帯電話の通話を検出できる。そのため携帯電話で通話している人のみを検知するので、従来の検知装置では完全に対応できていない受信エリア内外の過検知を防ぐ能力がある。
また、床材上から検出を行うことにより、対象人物、対象となる携帯電話との距離が絞り込め、検出技術の向上につながる。床材から携帯電話までの距離は1.5メートル前後であり、天井の高さのようなバラツキがないため、天井に設置する場合に比べ、現場での感度調整作業が簡略化でき、しかも検出精度が向上する。
【発明を実施するための最良の形態】
【０００７】
以下、本発明の実施の形態について説明する。
【０００８】
図１は床材をフロアマットにした例で、本発明を実施した携帯電話感受マットの内部配線図を示す。
携帯電話感受マットは、マット１内に上面視水平（長さ方向）・垂直（幅方向）に配置した２枚の平面アンテナ２、２と、踏まれても壊れないように柔軟な絶縁性フィルムからなるフレキシブル基板の内面に電子部品を高密度実装した平板状の検出回路３と、人が上に載ると作動する帯状のラバースイッチ４を埋設する。
平面アンテナ２、２は同軸ケーブル５を介して検出回路３の入力側に接続し、検出回路３の出力側に検出信号を接点出力するコネクタ６を接続する。ラバースイッチ４は接点の一端を検出回路３に接続し、他端をＡＣアダプタ７に接続する。また、検出回路３は必要に応じてフレキシブル基板の外側を銅箔などで被膜してシールドする。
【０００９】
携帯電話の電波は一般に垂直偏波であるが、携帯電話は傾けて使用することが多いため垂直偏波を受信するアンテナが１つしかないと偏波損失が発生してしまう。
そのため垂直と水平偏波の電波をそれぞれ受信する２枚の平面アンテナ２、２を同一場所に設置し、偏波面によってどちらかの電波を選択する偏波ダイバーシチを行う。
図１は２枚の平面アンテナ２、２を設置して偏波ダイバーシチを行う例を示しているが、偏波損失を考慮しない場合や時間ダイバーシチ、周波数ダイバーシチを行う場合は、平面アンテナ２を１枚設置すればよい。
【００１０】
マット１は、絶縁性・緩衝性に優れるゴムやウレタン樹脂などで形成し、ＡＴＭコーナー、病院内、電車内の優先席など、携帯電話使用禁止区域の床面や座席などに敷設する。
【００１１】
平面アンテナ２は、図２に示すように、ガラスエポキシ等の誘電体基板２１の表裏両面に銅箔を成膜して放射電極２２と接地電極２３を形成し、スルーホール２４を介して放射電極２２を同軸ケーブル５に接続する。
放射電極２２は、アンテナ共振波長の約１／２の長さ（Ｌ）を持ち、幅（Ｗ）方向の寸法を大きくすることで比帯域を広げ、受信電波を広帯域化する。
また、面積（Ｌ×Ｗ）を大きくすることで垂直指向性を強め、水平方向の利得を小さくする。これによりマット上方の受信感度を上げ、周囲方向の受信感度を下げることができ、携帯電話使用禁止区域以外からの到来電波による検出回路３の誤検出を防止できる。
【００１２】
図３に、検出回路３のブロック図を示す。
検出回路３は、現在携帯電話に割り当てられている８００Ｍ〜２．２ＧＨｚ帯で共振する２枚の平面アンテナ２、２で別々に受信した信号波を前段の帯域通過フィルタ３１に入力して帯域を選択した後、低雑音アンプ３２で適切なレベルに増幅し、ミキサ３３で局部発振器３４の局部発信波と混合して一定の中間周波に変換する。そして後段の帯域通過フィルタ３５で中間周波のみを選択した後、ログアンプ３６に入力して対数増幅し、検波器３７で復調してＲＳＳＩ電圧を出力する。
ＲＳＳＩ電圧はＡ／Ｄ変換器３８でデジタル信号に変換し、ＣＰＵ３９に入力して受信レベルの高い方を選択する。そして選択したＲＳＳＩ電圧の受信レベル、受信時間、受信タイミングなどを判定し、判定の結果、携帯電話の通話を検知したときは、検出信号を表示機や警備システムに接点出力し、光、音、振動、情報転送などの手段でアラームを報知する。受信レベルの判定は所定のしきい値と入力ＲＳＳＩ電圧値を比較して行う。
【００１３】
帯域通過フィルタ３１は、帯域外では急峻で大きな減衰量が得られるＳＡＷフィルタで構成し、前段において８００Ｍ〜２．２ＧＨｚ帯の信号波のみを通過させて携帯電話以外の信号波を排除する。また、後段においては中間周波以外の信号波を排除する。
【００１４】
低雑音アンプ３２は、帯域通過フィルタ３１が出力した微弱な高周波信号波を入力して必要なレベルに増幅する。
【００１５】
ミキサ３３は、低雑音アンプ３２が出力した信号波と局部発振器３４が出力した局部発信波を混合して両方の信号の周波数差を一定の低い周波数の信号波（中間周波）に変換する。
【００１６】
局部発振器３４は、ＰＬＬ制御により受信した信号波の周波数に対応した一定の周波数にロックされた局部発信波を出力する。
【００１７】
ログアンプ３６は、微小レベル信号ほど高い増幅率で増幅するもので、微小な中間周波をより容易に取り出せるように対数増幅する。
【００１８】
検波器３７は、ログアンプ３６が出力した中間周波を復調して高周波信号電圧の電界レベルを直流電圧値に変換したＲＳＳＩ電圧を出力する。
ＲＳＳＩ電圧は、Ａ／Ｄ変換器３８によりデジタル化され、ＣＰＵ３９に入力される。
ＣＰＵ３９は、入力ＲＳＳＩ電圧の受信レベル、受信時間、受信タイミングなどを判定する。判定した結果、受信電波がそれぞれ着信、発信、位置登録、通話時に発射された電波かどうかを識別し、通話時の発射電波を検知したときのみ検出信号を接点出力する。
これにより携帯電話の単なる持ち込みなど、通話時以外にアラームを報知する誤作動を回避する。
【００１９】
ラバースイッチ４は、図４に示すように、扁平筒体４１の内側に中空部分４２を挟んで一対の線状の接点材料４３を対向配置する。
扁平筒体４１は、絶縁シリコンゴムで形成して耐圧性能を高め、踏まれても容易に故障しないようにする。
接点材料４３は、導線４４を導電シリコンゴムで被覆し、扁平筒体４１の長さ方向に沿って内壁に付設する。
【００２０】
以上のような構成でラバースイッチ４を加圧状態にすると扁平筒体４１が潰れ、２本の接点材料４３が接触してスイッチがオンになる。ラバースイッチ４を無加圧状態にすると弾力で扁平筒体４１が膨れ、２本の接点材料４３が離間してスイッチがオフになる。
このラバースイッチ４を用いることでマット１の上に人が載ったときだけ検出回路３の電源をオンにできる。これにより節電と同時に必要時以外の無用な検出を防止できる。
【００２１】
床材は、ピータイルのような床に敷く平面状の敷物であれば、フロアマットに限らない。
【図面の簡単な説明】
【００２２】
【図１】本発明を実施した携帯電話感受床材の内部配線図である。
【図２】平面アンテナの斜視図である。
【図３】検出回路のブロック図である。
【図４】ラバースイッチの一部を拡大した斜視図である。
【符号の説明】
【００２３】
１      マット
２      平面アンテナ
２１    誘電体基板
２２    放射電極
２３    接地電極
２４    スルーホール
３      検出回路
３１    帯域通過フィルタ
３２    低雑音アンプ
３３    ミキサ
３４    局部発振器
３５    帯域通過フィルタ
３６    ログアンプ
３７    検波器
３８    Ａ／Ｄ変換器
３９    ＣＰＵ
４      ラバースイッチ
４１    扁平筒体
４２    中空部分
４３    接点材料
４４    導線
５      同軸ケーブル
６      コネクタ
７      ＡＣアダプタ
【図１】
2010109913.tif 000003
【図２】
2010109913.tif 000004
【図３】
2010109913.tif 000005
【図４】
2010109913.tif 000006